(57)【要約】      （修正有）【課題】終端部材から蓄電素子に局所的な力が加わり難い蓄電装置の提供。【解決手段】少なくとも一つの蓄電素子２と、少なくとも一つの蓄電素子２を保持する保持部材と、を備え、保持部材は、第一方向において少なくとも一つの蓄電素子の両側に配置される一対の終端部材４０と、終端部材４０における端部同士を接続する接続部材４３と、を有し、終端部材４０は、第一方向と直交する仮想面に沿って広がり且つ接続部材４３と連結される被連結部４３４と、被連結部４３４と隣接し且つ蓄電素子側に向けて膨出する膨出部４２２と、を有し、被連結部４３４は、終端部材４０における第二方向の端部に含まれると共に、端部において被連結部４３４以外の部位より第二方向に突出している蓄電装置１。【選択図】図２
2019220419.tif 000002
【特許請求の範囲】
【請求項１】
少なくとも一つの蓄電素子と、
前記少なくとも一つの蓄電素子を保持する保持部材と、を備え、
前記保持部材は、
第一方向において前記少なくとも一つの蓄電素子の両側に配置される一対の終端部材と、
前記終端部材における前記第一方向と直交する第二方向の端部同士を接続する接続部材と、を有し、
前記一対の終端部材のうちの少なくとも一方の終端部材は、
前記第一方向と直交する仮想面に沿って広がり且つ前記接続部材と連結される被連結部と、
前記被連結部と隣接し且つ前記少なくとも一つの蓄電素子側に向けて膨出する膨出部と、を有し、
前記被連結部は、前記少なくとも一方の終端部材における前記第二方向の端部に含まれると共に、該端部において該被連結部以外の部位より前記第二方向に突出している、蓄電装置。
【請求項２】
少なくとも一つの蓄電素子と、
前記少なくとも一つの蓄電素子を保持する保持部材と、を備え、
前記保持部材は、
第一方向において前記少なくとも一つの蓄電素子の両側に配置される一対の終端部材と、
前記終端部材における前記第一方向と直交する第二方向の両側の端部同士を接続する一対の接続部材と、を有し、
前記一対の終端部材のうちの少なくとも一方の終端部材は、
前記第一方向と直交する仮想面に沿って広がる第一部材と、
前記第一部材における前記少なくとも一つの蓄電素子側を向いた面に重ねられる第二部材と、を有し、
前記第二部材は、
前記第一部材における前記第二方向の端部において該第一部材に沿って広がり且つ前記接続部材と連結される被連結部と、
それぞれが前記被連結部と隣接し且つ前記少なくとも一つの蓄電素子側に向けて膨出する複数の膨出部と、を有し、
前記被連結部は、前記第二部材における前記第二方向の端部に含まれると共に、該端部において該連結部以外の部位より前記第二方向に突出し、
前記複数の膨出部のそれぞれは、前記第二方向に沿って延びている、蓄電装置。
【発明の詳細な説明】
【技術分野】
【０００１】
本発明は、少なくとも一つの蓄電素子と、少なくとも一つの蓄電素子を保持する保持部材と、を備える蓄電装置に関する。
【背景技術】
【０００２】
従来から、図７に示すような、複数の蓄電セル５０１がエンドプレート５０４と側部締結フレーム５０５によって囲まれるように保持される蓄電モジュール５００が知られている。（特許文献１参照）。この蓄電モジュール５００の具体的な構成は以下の通りである。
【０００３】
十二個の蓄電セル５０１と、十一個の板状の中間蓄電セルホルダ５０２とが積層方向に交互に重ね合わされ、積層方向両端の二個の蓄電セル５０１の積層方向外側に一対の板状の端部蓄電セルホルダ５０３が重ね合わされ、更にその積層方向外側に一対の金属製のエンドプレート５０４が重ね合わされる。蓄電セル５０１、中間蓄電セルホルダ５０２、端部蓄電セルホルダ５０３、及びエンドプレート５０４を積層方向に積層した状態で、一対の金属製の板状部材よりなる側部締結フレーム５０５の積層方向両端部を一対のエンドプレート５０４の幅方向両端部にボルト５０６で締結することで、十二個の蓄電セル５０１を有する蓄電モジュール５００が組み立てられる。
【０００４】
側部締結フレーム５０５は、積層方向に相互に平行に延びる上部帯状部５０５ａ、中間帯状部５０５ｂ及び下部帯状部５０５ｃと、これら三本の帯状部５０５ａ、５０５ｂ、５０５ｃの積層方向両端部を上下方向に接続する一対の締結部５０５ｄとを備える。この締結部５０５ｄは、エンドプレート５０４の積層方向外面に重なるように断面Ｌ字状に構成され、エンドプレート５０４と重なる部分がボルト５０６で締結される。
【０００５】
エンドプレート５０４は、図８にも示されるように、金属板をプレス成形した第一プレート５０４１と、第一プレート５０４１に重ね合わされて一体に溶接される平坦な金属板よりなる第二プレート５０４２とで構成される。波型に湾曲する第一プレート５０４１は、幅方向に見たときに積層方向外側に突出する三個の凸部５０４１ａと、それら三個の凸部５０４１ａ間に挟まれて積層方向外側に開放する二個の凹部５０４１ｂとを備えており、第一プレート５０４１及び第二プレート５０４２を結合することで、二個の凹部５０４１ｂと第二プレート５０４２との間に、幅方向に延びる二個の閉断面部５０４１ｃが形成される（図９参照）。
【０００６】
また第一プレート５０４１の幅方向端部には、それぞれ側部締結フレーム５０５を締結するための三本のボルト５０６が螺合する三個のウェルドナット５０７が設けられる。
【０００７】
以上の蓄電モジュール５００では、凹部５０４１ｂ同士の間隔（図８では上下方向の間隔）が大きく、凹部５０４１ｂの蓄電セル５０１を押圧する部位の面積がエンドプレート５０４の面積に比べて小さい。このため、蓄電モジュール５００において、劣化によって各蓄電セル５０１が膨らむ等によってエンドプレート５０４から積層方向の端の蓄電セル５０１に対して押圧力が加わったとき（又は押圧力がより大きくなったとき）に、該蓄電セル５０１に局所的な力が加わることになる。このように、蓄電セル５０１に局所的な力が加わると、該蓄電セル５０１が性能劣化しやすくなる。
【先行技術文献】
【特許文献】
【０００８】
【特許文献１】特開２０１５−９９６４８号公報
【発明の概要】
【発明が解決しようとする課題】
【０００９】
そこで、本実施形態は、終端部材から蓄電素子に局所的な力が加わり難い蓄電装置を提供することを目的とする。
【課題を解決するための手段】
【００１０】
本実施形態の蓄電装置は、
少なくとも一つの蓄電素子と、
前記少なくとも一つの蓄電素子を保持する保持部材と、を備え、
前記保持部材は、
第一方向において前記少なくとも一つの蓄電素子の両側に配置される一対の終端部材と、
前記終端部材における前記第一方向と直交する第二方向の端部同士を接続する接続部材と、を有し、
前記一対の終端部材のうちの少なくとも一方の終端部材は、
前記第一方向と直交する仮想面に沿って広がり且つ前記接続部材と連結される被連結部と、
前記被連結部と隣接し且つ前記少なくとも一つの蓄電素子側に向けて膨出する膨出部と、を有し、
前記被連結部は、前記少なくとも一方の終端部材における前記第二方向の端部に含まれると共に、該端部において該被連結部以外の部位より前記第二方向に突出している。
【００１１】
かかる構成によれば、被連結部が第二方向に突出していることで、突出している部位がない端部に被連結部が含まれる場合に比べて被連結部が第二方向の外側に位置できるため、前記仮想面に沿った方向において膨出部をより大きくすることができ、これにより、蓄電素子を押圧する部位（膨出部）の押圧面（膨出部の蓄電素子と対向する面）の面積をより大きくすることが可能となり、その結果、終端部材から蓄電素子に局所的な押圧力が加わり難くなる。
【００１２】
また、本実施形態の蓄電装置は、
少なくとも一つの蓄電素子と、
前記少なくとも一つの蓄電素子を保持する保持部材と、を備え、
前記保持部材は、
第一方向において前記少なくとも一つの蓄電素子の両側に配置される一対の終端部材と、
前記終端部材における前記第一方向と直交する第二方向の両側の端部同士を接続する一対の接続部材と、を有し、
前記一対の終端部材のうちの少なくとも一方の終端部材は、
前記第一方向と直交する仮想面に沿って広がる第一部材と、
前記第一部材における前記少なくとも一つの蓄電素子側を向いた面に重ねられる第二部材と、を有し、
前記第二部材は、
前記第一部材における前記第二方向の端部において該第一部材に沿って広がり且つ前記接続部材と連結される被連結部と、
それぞれが前記被連結部と隣接し且つ前記少なくとも一つの蓄電素子側に向けて膨出する複数の膨出部と、を有し、
前記被連結部は、前記第二部材における前記第二方向の端部に含まれると共に、該端部において該連結部以外の部位より前記第二方向に突出し、
前記複数の膨出部のそれぞれは、前記第二方向に沿って延びている。
【００１３】
かかる構成によれば、被連結部が第二方向に突出していることで、突出している部位がない端部に被連結部が含まれる場合に比べて被連結部が第二方向の外側に位置できるため、前記仮想面に沿った方向において膨出部をより大きくすることができ、これにより、蓄電素子を押圧する部位（膨出部）の押圧面（膨出部の蓄電素子と対向する面）の面積をより大きくすることが可能となり、その結果、終端部材から蓄電素子に局所的な押圧力が加わり難くなる。
【００１４】
しかも、終端部材の第二方向の両側の端部同士が一対の接続部材によって接続されているため、例えば蓄電素子が膨張等したときに第二方向の両端部が相手側の終端部材側に引っ張られる力が各終端部材に加わるが、複数の膨出部が配置されることで、第二方向に沿って延び且つ第一方向側に延びる壁（各膨出部に含まれる壁：例えば図５の符号４２２０参照）が終端部材に複数形成されている状態となっているため、各終端部材において前記両端部が相手側の終端部材側に引っ張られる力に対する剛性が向上し、これにより、終端部材の変形が抑えられる。即ち、終端部材において前記引っ張られる力に対する十分な剛性が確保される。
【発明の効果】
【００１５】
以上より、本実施形態によれば、終端部材から蓄電素子に局所的な力が加わり難い蓄電装置を提供することができる。
【図面の簡単な説明】
【００１６】
【図１】図１は、本実施形態に係る蓄電装置の斜視図である。
【図２】図２は、前記蓄電装置の分解斜視図である。
【図３】図３は、前記蓄電装置が備える終端部材の斜視図である。
【図４】図４は、前記終端部材の分解斜視図である。
【図５】図５は、図３のＶ−Ｖ位置における断面図である。
【図６】図６は、前記終端部材を第二部材側から見た図である。
【図７】図７は、従来の蓄電モジュールの分解斜視図である。
【図８】図８は、前記蓄電モジュールが備えるエンドプレートの分解斜視図である。
【図９】図９は、前記エンドプレートの断面を示す図である。
【発明を実施するための形態】
【００１７】
以下、本発明の一実施形態について、図１〜図６を参照しつつ説明する。尚、本実施形態の各構成部材（各構成要素）の名称は、本実施形態におけるものであり、背景技術における各構成部材（各構成要素）の名称と異なる場合がある。
【００１８】
蓄電装置は、図１及び図２に示すように、少なくとも一つの蓄電素子２と、少なくとも一つの蓄電素子２を保持する保持部材４と、を備える。また、蓄電装置１は、蓄電素子２と隣り合う隣接部材３を備える。また、蓄電装置１は、少なくとも一つの蓄電素子２と保持部材４との間に配置されるインシュレータ５と、異なる蓄電素子２同士又は蓄電素子２と外部入出力用端子４７等とを導通可能に接続するバスバ６と、を備える。本実施形態の蓄電装置１は、複数の蓄電素子２と、複数の隣接部材３と、を備え、保持部材４は、複数の蓄電素子２と複数の隣接部材３とをひとまとめに保持する。
【００１９】
複数の蓄電素子２は、所定の方向（第一方向）に並ぶ。これら複数の蓄電素子２のそれぞれは、一次電池、二次電池、キャパシタ等である。本実施形態の蓄電素子２は、充放電可能な非水電解質二次電池である。より具体的には、蓄電素子２は、リチウムイオンの移動に伴って生じる電子移動を利用したリチウムイオン二次電池である。この蓄電素子２は、いわゆる角型のリチウムイオン二次電池である。
【００２０】
複数の蓄電素子２のそれぞれは、電極体と、電極体を電解液と共に収容するケース２１と、少なくとも一部がケース２１の外側に露出する外部端子２２と、を有する。
【００２１】
ケース２１は、開口を有するケース本体２１１と、ケース本体２１１の開口を塞ぐ（閉じる）板状の蓋板２１６と、を有する。本実施形態のケース本体２１１は、有底角筒状であり、ケース２１は、扁平な直方体形状である。ケース本体２１１は、矩形板状の閉塞部２１２と、閉塞部２１２の周縁に接続される筒状の胴部（周壁）２１３と、を備える。胴部２１３は、偏平な角筒形状を有する。この胴部２１３は、閉塞部２１２の周縁における長辺から延びる一対の長壁部２１４と、閉塞部２１２の周縁における短辺から延びる一対の短壁部２１５とを有する。短壁部２１５が一対の長壁部２１４の対応する端部同士をそれぞれ接続することによって、扁平な角筒状の胴部２１３が形成される。蓋板２１６は、ケース本体２１１の開口を塞ぐ矩形板状の部材である。この蓋板２１６には、一対の外部端子２２が配置されている。
【００２２】
本実施形態の蓄電装置１では、複数の蓄電素子２は、ケース２１（ケース本体２１１）の長壁部２１４同士を互いに対向させた状態で並んでいる。
【００２３】
以下では、複数の蓄電素子２が並ぶ方向を直交座標系のＸ軸とし、ケース本体２１１の短壁部２１５が対向する方向を直交座標系のＹ軸とし、閉塞部２１２と蓋板２１６とが対向する方向を直交座標系のＺ軸とする。
【００２４】
隣接部材３は、Ｘ軸方向に並ぶ二つの蓄電素子２の間、又は、Ｘ軸方向の最も端の蓄電素子２と該蓄電素子２に対してＸ軸方向に並ぶ部材（本実施形態の例では、保持部材４の一部）との間に配置される。この隣接部材３は、樹脂等の絶縁性を有する部材によって構成される。また、隣接部材３は、隣接する蓄電素子２との間に該蓄電素子２の温度調整用の流体が流通可能な流路を形成する。
【００２５】
保持部材４は、複数の蓄電素子２と複数の隣接部材３との周囲を囲むことにより、これら複数の蓄電素子２及び複数の隣接部材３をひとまとめに保持する。この保持部材４は、金属等の導電性を有する部材によって構成されている。具体的に、保持部材４は、Ｘ軸方向において複数の蓄電素子２の両側に配置される一対の終端部材４０と、終端部材４０におけるＹ軸方向の端部同士を接続する接続部材４３と、を有する。また、保持部材４は、終端部材４０と接続部材４３とを固定（連結）する固定部材４５を有する。本実施形態の固定部材４５は、ボルト４５１とナット４５２である。本実施形態の蓄電装置１では、一対の接続部材４３が、一対の終端部材４０におけるＹ軸方向の両側の端部同士を接続している。
【００２６】
一対の終端部材４０のそれぞれは、Ｘ軸方向の端に配置された蓄電素子２との間に隣接部材３を挟み込むように配置される。これら一対の終端部材４０のうちの少なくとも一方は、図３〜図５にも示すように、複数の部材が重ね合わされることで構成されている。具体的に、各終端部材４０は、Ｘ軸方向と直交するＹ−Ｚ仮想面（Ｙ軸及びＺ軸を含む仮想面：以下、単に「仮想面」と称する。）Ｖｓに沿って広がる第一部材４１と、第一部材４１における蓄電素子２側を向いた面４１Ａ（図４参照）に重ねられる第二部材４２と、を有する。本実施形態の蓄電装置１では、一対の終端部材４０のそれぞれが、第一部材４１と第二部材４２とを有する。
【００２７】
第一部材４１は、蓄電素子２と対応する形状の第一本体４１１と、第一本体４１１から延びる延設部４１２と、を有する。
【００２８】
第一本体４１１は、仮想面Ｖｓに沿って広がる板状の部位であり、Ｘ軸方向から見て蓄電素子２（ケース２１）と重なる部位である。本実施形態の第一本体４１１は、蓄電素子２と対応した矩形状の部位である。
【００２９】
第一本体４１１は、Ｙ軸方向の両端部に、Ｘ軸方向に貫通する穴４１１１を有する。この穴４１１１には、終端部材４０と接続部材４３とを固定するための固定部材４５（詳しくは、ボルト４５１）が挿通される。本実施形態の第一本体４１１では、Ｚ軸方向に間隔をあけた二つの穴４１１１が、Ｙ軸方向の一方側の端部と他方側の端部とのそれぞれに配置されている。これら二つの穴４１１１において、Ｚ軸方向の一方側（図３における上側）の穴４１１１は、Ｚ軸方向の他方側（図３における下側）の穴４１１１より、Ｙ軸方向の外側に配置されている。
【００３０】
この第一本体４１１におけるＹ軸方向の各端部のＺ軸方向の途中位置には、Ｙ軸方向の内側（互いに接近する方向）に延びる切り欠き４１１２が設けられている。この切り欠き４１１２は、Ｚ軸方向に間隔をあけて並ぶ二つの穴４１１１の間に位置している。第一部材４１のＹ軸方向の端部において、この切り欠き４１１３よりＺ軸方向の他方側の部位４１１３は、第二部材４２側に曲がっている（図４参照）。
【００３１】
延設部４１２は、矩形板状の第一本体４１１における蓄電素子２の閉塞部２１２と対応する辺４１１Ａから延びる部位である。この延設部４１２は、蓄電装置１を設置面に固定するのに用いられる。本実施形態の第一部材４１は、Ｙ軸方向に間隔をあけて配置される二つの延設部４１２を有する。
【００３２】
この二つの延設部４１２のそれぞれは、第一本体４１１の辺４１１ＡからＺ軸方向に沿って第一本体４１１から離れる向き（Ｚ軸方向の他方側）に延びる延設第一部位と４１３と、延設第一部位４１３の先端からＸ軸方向の外向き（蓄電素子２から離れる方向）に延びる延設第二部位４１４と、を有する。
【００３３】
延設第二部位４１４は、Ｚ軸方向に貫通する穴４１５を有する。この穴４１５に例えばボルトが挿通された状態で、該ボルトが設置面に設けられたネジ穴に螺入されることで、蓄電装置１が設置面に固定される。
【００３４】
第二部材４２は、図６にも示すように、第一部材４１におけるＹ軸方向の端部において該第一部材４１（仮想面Ｖｓ）に沿って広がり且つ接続部材４３と連結（本実施形態の例では図１及び図２に示すようにボルト４５１とナット４５２によって固定）される被連結部４２５と、被連結部４２５と隣接し且つ蓄電素子２側に向けて膨出する膨出部４２２と、を有する。具体的には、以下の通りである。
【００３５】
第二部材４２は、第一部材４１（仮想面Ｖｓ）に沿った少なくとも一つの平坦部４２１と、平坦部４２１に対してＸ軸方向の内側（蓄電素子２側）に膨出する少なくとも一つの膨出部４２２と、を有する。本実施形態の第二部材４２は、複数（例えば、三つ）の平坦部４２１と、複数（例えば、二つ）の膨出部４２２と、を有する。
【００３６】
複数の膨出部４２２のそれぞれは、Ｚ軸方向に間隔をあけた状態でＹ軸方向に沿ってそれぞれ延びている。本実施形態の第二部材４２では、膨出部４２２以外の部位が平坦部４２１である。以下では、Ｚ軸方向の一方側の膨出部４２２を第一膨出部４２２Ａ、Ｚ軸方向の他方側の膨出部４２２を第二膨出部４２２Ｂと称することもある。また、Ｚ軸方向における第一膨出部４２２Ａの一方側の平坦部４２１を第一平坦部４２１Ａ、Ｚ軸方向における第一膨出部４２２Ａと第二膨出部４２２Ｂとの間の平坦部４２１を第二平坦部４２１Ｂ、Ｚ軸方向における第二膨出部４２２Ｂの他方側の平坦部４２１を第三平坦部４２１Ｃと称することもある。
【００３７】
また、第二部材４２におけるＹ軸方向の端部において、第一膨出部４２２Ａと第二膨出部４２２ＢとのＺ軸方向の間隔は、Ｙ軸方向の外側に向かうにつれて大きくなっている（図６参照）。即ち、第二平坦部４２１ＢのＹ軸方向の端部では、Ｙ軸方向の外側に向かうに連れてＺ軸方向の寸法が大きくなっている。また、膨出部４２２（第一膨出部４２２Ａ、第二膨出部４２２Ｂ）のＹ軸方向の両端は、Ｙ軸方向の外側に向けて開口している（図５の符号４２３参照）。これにより、膨出部４２２（第二部材４２）と第一部材４１とによって囲まれた空間が、前記開口を通じて外部空間と連通する。
【００３８】
第二平坦部４２１Ｂ及び第三平坦部４２１ＣのそれぞれのＹ軸方向の両端部において、第一部材４１（第一本体４１１）の穴４１１１と対応する位置に、穴４２１１が設けられている。
【００３９】
また、第二部材４２において、第二平坦部４２１Ｂと第三平坦部４２１ＣとのＹ軸方向の各端部は、接続部材４３と連結（本実施形態の例では、第一部材４１を介して連結）される第二部材４２の被連結部４２５を構成する。即ち、第二平坦部４２１Ｂと第三平坦部４２１Ｃとは、Ｙ軸方向の各端部に、被連結部４２５を含む。各被連結部４２５は、第二平坦部４２１Ｂと第三平坦部４２１Ｃとにおける穴４２１１を含む領域である。本実施形態の第二部材４２では、被連結部４２５の蓄電素子２側の面に、終端部材４０と接続部材４３とを連結する固定部材４５を構成するナット４５２が配置されている。このナット４５２は、被連結部４２５における穴４２１１と対応する位置に溶接されている。
【００４０】
これら複数の被連結部４２５のそれぞれは、第二部材４２におけるＹ軸方向の端部に含まれる。そして、第二平坦部４２１Ｂの被連結部４２５は、この端部におけるＺ軸方向の他の部位よりＹ軸方向に突出している（図６参照）。即ち、終端部材４０（第二部材４２）のＹ軸方向の端縁（Ｚ軸方向に沿って延びる端縁）において、第二平坦部４２１Ｂの被連結部４２５に含まれる部位は、他の部位（前記端縁において第二平坦部４２１Ｂの被連結部４２５に含まれる部位を除いた部位）よりＹ軸方向に突出している。本実施形態の第二平坦部４２１Ｂの被連結部４２５におけるＹ軸方向の端縁（第二部材４２のＹ軸方向の端縁において他の部位よりＹ軸方向に突出している部位）は、Ｚ軸方向に延びている。
【００４１】
以上のように構成される一対の終端部材４０のそれぞれは、第二部材４２の二つの膨出部４２２（第一膨出部４２２Ａ及び第二膨出部４２２Ｂ）のそれぞれを隣接部材３に当接させた状態で該隣接部材３を蓄電素子２との間に挟み込むように配置されている（図１及び図２参照）。
【００４２】
図１及び図２に示すように、一対の接続部材４３は、Ｙ軸方向において複数の蓄電素子２の両側に配置される。これら一対の接続部材４３のそれぞれは、複数の蓄電素子２のそれぞれの短壁部２１５に沿ってＸ軸方向に延びる接続部材本体４３１と、接続部材本体４３１のＺ軸方向の他方側の端部からＹ軸方向に沿って延びる（複数の蓄電素子２のそれぞれの閉塞部２１２に沿って延びる）第一延設部４３２と、第一延設部４３２からＺ軸方向の他方側に延びる第二延設部４３３と、を有する。また、一対の接続部材４３のそれぞれは、接続部材本体４３１のＸ軸方向の端部から終端部材４０におけるＸ軸方向の外側を向いた面に沿ってＹ軸方向に延びる被連結部４３４を有する。本実施形態の接続部材４３は、Ｘ軸方向の両端部のそれぞれに、被連結部４３４を有する。即ち、一対の接続部材４３のそれぞれは、一対の被連結部４３４を有する。
【００４３】
一対の被連結部４３４のそれぞれは、接続部材４３において、終端部材４０のＹ軸方向の端部（第二部材４２の被連結部４２５）に連結される部位である。この被連結部４３４は、Ｙ−Ｚ面に沿って広がり且つＺ軸方向に長尺な板状の部位である。また、被連結部４３４は、終端部材４０のＹ軸方向の端部に設けられた穴（第一部材４１の穴４１１１と第二部材４２の穴４２１１）と対応する位置（Ｘ軸方向から見て重なる位置）に、穴４３４１を有する。本実施形態の終端部材４０では、Ｙ軸方向の各端部にＺ軸方向に間隔をあけて配置される二つの穴（第一部材４１の穴４１１１と第二部材４２の穴４２１１とが重なることでそれぞれが構成されている二つの穴）が設けられているため、被連結部４３４にも、Ｚ軸方向に間隔をあけた二つの穴４３４１が設けられている。
【００４４】
本実施形態の蓄電装置１では、固定部材４５を構成するボルト４５１が接続部材４３の被連結部４３４の穴４３４１、終端部材４０の穴（第一部材４１の穴４１１１及び第二部材４２の穴４２１１）を挿通した状態で、第二部材４２の被連結部４２５に配置されたナット４５２と螺合することで、接続部材４３の被連結部４３４と第二部材４２の被連結部４２５とが第一部材４１を介して連結（固定）される。
【００４５】
インシュレータ５は、絶縁性を有し、接続部材４３と複数の蓄電素子２との間に配置される。このインシュレータ５は、接続部材４３における少なくとも複数の蓄電素子２と対向する領域を覆う。具体的に、本実施形態のインシュレータ５は、接続部材本体４３１における各蓄電素子２を向いた面、第一延設部４３２における各蓄電素子２を向いた面、及び、第二延設部４３３におけるＹ軸方向の内側を向いた面、を少なくとも覆う。これにより、インシュレータ５は、接続部材４３と、複数の蓄電素子２との間を絶縁する。
【００４６】
バスバ６は、金属等の導電性を有する板状の部材である。バスバ６は、蓄電素子２の外部端子２２同士、又は、蓄電素子２の外部端子２２と外部入出力用端子４７とを導通させる。バスバ６は、蓄電装置１において複数（複数の蓄電素子２の数及び外部入出力用端子４７の数と対応する数）設けられる。本実施形態の複数のバスバ６は、蓄電装置１に含まれる複数の蓄電素子２の全てを直列に接続する（導通させる）。
【００４７】
以上の蓄電装置１によれば、第二部材４２における第二平坦部４２１Ｂの被連結部４２５が他の部位（第二部材４２のＹ軸方向の端部における第二平坦部４２１Ｂの被連結部４２５を除いた部位）と比べてＹ軸方向に突出していることで、突出している部位がない端部に被連結部４２５が含まれる場合に比べ、被連結部４２５がＹ軸方向の外側に位置できる。このため、仮想面Ｖｓに沿った方向において膨出部４２２（第一膨出部４２２Ａ、第二膨出部４２２Ｂ）をより大きくすることができる。即ち、連結に必要な部位（本実施形態における第二平坦部４２１Ｂの被連結部４２５）をＹ軸方向の外側にずらすことで、このずれに対応する領域分、膨出部４２２を大きくできる。より詳細には、本実施形態の蓄電装置１では、第二部材４２の第二平坦部４２１Ｂにおける被連結部４５２にナット４５２が溶接（配置）されるため、第二平坦部４２１Ｂにおいてナット４５２の配置場所を確保しなければならない。このため、本実施形態の蓄電装置１では、被連結部４２５をＹ軸方向の外側に突出させてナット４５２の配置位置をＹ軸方向の外側にずらすことで、該ナット４５２の配置場所を確保しつつも、ナット４５２の配置位置を外側にずらした分だけ、蓄電素子２を押圧する部位（膨出部４２２）のＹ−Ｘ面方向の大きさを大きくし、これにより、押圧面（膨出部４２２の蓄電素子２と対向する面（本実施形態の例では、隣接部材３を介して対向する面））の面積をより大きくすることができた。その結果、終端部材４０から蓄電素子２に局所的な押圧力が加わり難くなる。
【００４８】
また、本実施形態の蓄電装置１では、終端部材４０のＹ軸方向の両方の端部同士が一対の接続部材４３によって接続されているため、例えば蓄電素子２が膨張等したときにＹ軸方向の両端部が相手側の終端部材４０側に引っ張られる力が各終端部材４０に加わる。しかし、複数（本実施形態の例では二つ）の膨出部４２２が終端部材４０（第二部材４２）に配置されることで、Ｙ軸方向に沿って延び且つＸ軸方向側に延びる壁（各膨出部４２２に含まれる壁：例えば図５において符号４２２０で示す部位）が終端部材４０に複数形成されている状態となる。このため、各終端部材４０において前記両端部が相手側の終端部材４０側に引っ張られる力に対する剛性が向上し、これにより、終端部材４０の変形が抑えられる。即ち、終端部材４０において前記引っ張られる力に対する十分な剛性が確保される。
【００４９】
尚、本発明の蓄電装置は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００５０】
上記実施形態の蓄電装置１において、終端部材４０（第二部材４２）の被連結部４２５と接続部材４３の被連結部４３４とを連結する固定部材４５は、ボルト４５１とナット４５２であったがこの構成に限定されない。例えば、固定部材４５は、リベット等であってもよい。即ち、終端部材４０の被連結部４２５と接続部材４３の被連結部４３４とを連結（固定）できる部材であればよい。
【００５１】
また、終端部材４０（第二部材４２）の被連結部４２５と接続部材４３の被連結部４３４とは、例えば、溶接や接着のように固定部材を用いずに連結（固定）されてもよい。
【００５２】
また、上記実施形態の保持部材４では、固定部材４５に含まれるナット４５２は、終端部材４０（第二部材４２）の被連結部４２５に溶接されているが、被連結部４２５に溶接されていなくてもよい。
【００５３】
また、上記実施形態の終端部材４０は、第一部材４１と第二部材４２とが重ねられた二層構造であるが、この構成に限定されない。終端部材４０は、一層構造でもよく、三層以上の層構造でもよい。終端部材４０が三層以上の層構造の場合、平坦部４２１及び膨出部４２２は、最も内側（蓄電素子２側）の層に配置される。
【００５４】
また、上記実施形態の終端部材４０には、膨出部４２２が複数設けられているが、この構成に限定されない。膨出部４２２が終端部材４０に一つだけ設けられていてもよい。
【００５５】
また、上記実施形態の保持部材４では、一対の終端部材４０のそれぞれにおいて第二平坦部４２１Ｂの被連結部４２５がＹ軸方向の外側に突出しているが、この構成に限定されない。一対の終端部材４０のうちの一方の終端部材４０において、第二平坦部４２１Ｂの被連結部４２５がＹ軸方向の外側に突出する構成でもよい。
【符号の説明】
【００５６】
１…蓄電装置、２…蓄電素子、２１…ケース、２１１…ケース本体、２１２…閉塞部、２１３…胴部、２１４…長壁部、２１５…短壁部、２１６…蓋板、２２…外部端子、３…隣接部材、４…保持部材、４０…終端部材、４１…第一部材、４１Ａ…蓄電素子側を向いた面、４１１…第一本体、４１１Ａ…辺、４１１１…穴、４１１３…端部、４１２…延設部、４１３…延設第一部位、４１４…延設第二部位、４１５…穴、４２…第二部材、４２１…平坦部、４２１Ａ…第一平坦部、４２１Ｂ…第二平坦部、４２１Ｃ…第三平坦部、４２１１…穴、４２２…膨出部、４２２Ａ…第一膨出部、４２２Ｂ…第二膨出部、４２２０…膨出部に含まれる壁、４２３…開口、４２５…被連結部、４３…接続部材、４３１…接続部材本体、４３２…第一延設部、４３３…第二延設部、４３４…被連結部、４３４１…穴、４５…固定部材、４５１…ボルト、４５２…ナット、４７…外部入出力用端子、５…インシュレータ、６…バスバ、５００…蓄電モジュール、５０１…蓄電セル、５０２…中間蓄電セルホルダ、５０３…端部蓄電セルホルダ、５０４…エンドプレート、５０４１…第一プレート、５０４１ａ…凸部、５０４１ｂ…凹部、５０４１ｃ…閉断面部、５０４２…第二プレート、５０５…側部締結フレーム、５０５ａ…上部帯状部、５０５ａ…帯状部、５０５ｂ…中間帯状部、５０５ｃ…下部帯状部、５０５ｄ…締結部、５０６…ボルト、５０７…ウェルドナット、Ｖｓ…仮想面
【図１】
2019220419.tif 000003
【図２】
2019220419.tif 000004
【図３】
2019220419.tif 000005
【図４】
2019220419.tif 000006
【図５】
2019220419.tif 000007
【図６】
2019220419.tif 000008
【図７】
2019220419.tif 000009
【図８】
2019220419.tif 000010
【図９】
2019220419.tif 000011